(57)【要約】  ＧＳＭ（登録商標）チャネルを同時に監視する方法および装置が提供される。１つの特徴は、サービング基地局との通信リンクを少なくとも周期的に確立することによってサービング基地局に関連することを含む、ワイヤレス通信デバイスにおいて無線チャネルを監視する方法に関係する。方法は、第１の受信機を使用して帯域幅を有する信号を受信することであって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信することをも含むことができる。他の態様、実施形態、および特徴も請求され、説明される。
2015514358.tif 000002
【特許請求の範囲】
【請求項１】
ワイヤレス通信デバイスにおいて無線チャネルを監視する方法であって、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと、
前記第１のチャネルの第１のデータ信号を復調することと、
前記第２のチャネルの電力レベルメトリックを判断することと
を備える、方法。
【請求項２】
前記信号を受信するために、あらかじめ定義された時間期間の間、前記第１の受信機を非アクティブ電力状態からアクティブ電力状態に遷移させることをさらに備える、請求項１に記載の方法。
【請求項３】
前記第１の受信機を前記非アクティブ電力状態から前記アクティブ電力状態に遷移させることの前に信号測定を行うことを判断することをさらに備える、請求項２に記載の方法。
【請求項４】
前記信号測定を行うことを判断することが、モバイル通信用グローバルシステム（ＧＳＭ（登録商標））アイドルモード走査を実行することを判断することを含み、前記複数のチャネルが、２００ｋＨｚ帯域幅を有するＧＳＭチャネルを備える、請求項３に記載の方法。
【請求項５】
第２の技術タイプのネットワークに関連付けられた信号を受信することであって、前記第２の技術タイプのネットワークが前記第１の技術タイプのネットワークとは異なる、受信することをさらに備える、請求項１に記載の方法。
【請求項６】
前記第１の技術タイプのネットワークが時分割多元接続（ＴＤＭＡ）に基づき、前記第２の技術タイプのネットワークが符号分割多元接続（ＣＤＭＡ）に基づいている、請求項５に記載の方法。
【請求項７】
前記第１の技術タイプのネットワークがＧＳＭであり、前記第２の技術タイプのネットワークが広帯域符号分割多元接続（Ｗ−ＣＤＭＡ（登録商標））またはロングタームエボリューション（ＬＴＥ）である、請求項６に記載の方法。
【請求項８】
前記第２のチャネルの前記電力レベルがあらかじめ定義されたしきい値を超えると判断した後に、前記非サービング基地局に関連することをさらに備える、請求項１に記載の方法。
【請求項９】
前記信号の前記帯域幅が、前記第１の技術タイプのネットワークに関連付けられた前記複数のチャネルの各々のチャネル帯域幅の３倍よりも大きいかまたはそれに等しい、請求項１に記載の方法。
【請求項１０】
前記信号の前記帯域幅が、前記第２の技術タイプのネットワークに関連付けられたキャリアのチャネル帯域幅に実質的に等しい、請求項１に記載の方法。
【請求項１１】
前記帯域幅が５ＭＨｚよりも大きいかまたはそれに等しく、前記複数のチャネルがそれぞれ２００ｋＨｚのチャネル帯域幅を有する、請求項１に記載の方法。
【請求項１２】
前記第１のデータ信号が、同期チャネル、ブロードキャスト制御チャネル、またはページング制御チャネルのうちの１つである、請求項１に記載の方法。
【請求項１３】
前記第１の受信機が、少なくとも２００ｋＨｚについて実質的に線形の位相応答を含む受信機帯域幅を有する、請求項１に記載の方法。
【請求項１４】
前記信号の帯域幅の下側エッジおよび上側エッジにおいて利得損失を補正するために、前記受信された信号に補償フィルタを適用することをさらに備える、請求項１に記載の方法。
【請求項１５】
前記複数のチャネルの各チャネルを抽出するために、前記受信された信号に同調可能帯域通過フィルタを適用することをさらに備える、請求項１に記載の方法。
【請求項１６】
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに備える、請求項１に記載の方法。
【請求項１７】
前記電力レベルメトリックは、前記第２のチャネルの絶対電力レベルが第１のあらかじめ定義されたしきい値を超える、前記第２のチャネルの相対電力レベルが少なくとも１つの第２のあらかじめ定義されたしきい値だけ前記第１のチャネルの電力レベルを超える、前記第２のチャネルの絶対信号対雑音比（ＳＮＲ）が第３のあらかじめ定義されたしきい値を超える、前記第２のチャネルの１つの相対信号強度インジケータ（ＲＳＳＩ）が第４のあらかじめ定義されたしきい値を超える、および／または、前記第２のチャネルの相対ＳＮＲが第５のあらかじめ定義されたしきい値だけ前記第１のチャネルのＳＮＲ値を超える、のうちの少なくとも１つのとき、前記セル再選択基準または前記ハンドオーバ基準を満たす、請求項１６に記載の方法。
【請求項１８】
前記第１のチャネルの前記第１のデータ信号が復調され、前記第２のチャネルの前記電力レベルメトリックが、前記第１の受信機のＲＦ中心周波数を再同調させることなしに判断される、請求項１に記載の方法。
【請求項１９】
サービング基地局との通信リンクを少なくとも周期的に確立することによって前記サービング基地局に関連することと、
帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと
を行うように適合された第１の受信機と、
前記第１の受信機に通信可能に結合された処理回路であって、前記処理回路が、
前記第１のチャネルの第１のデータ信号を復調することと、
前記第２のチャネルの電力レベルメトリックを判断することと
を行うように適合された、処理回路と
を備える、ワイヤレス通信デバイス。
【請求項２０】
前記処理回路が、前記信号を受信するために、あらかじめ定義された時間期間の間、前記第１の受信機を非アクティブ電力状態からアクティブ電力状態に遷移させるようにさらに適合された、請求項１９に記載のワイヤレス通信デバイス。
【請求項２１】
前記処理回路が、前記第１の受信機を前記非アクティブ電力状態から前記アクティブ電力状態に遷移させることの前に信号測定を行うことを判断するようにさらに適合された、請求項２０に記載のワイヤレス通信デバイス。
【請求項２２】
信号測定を行うことを判断するように適合された前記処理回路が、前記処理回路に、モバイル通信用グローバルシステム（ＧＳＭ）アイドルモード走査を実行することを判断することをさらに行わせ、前記複数のチャネルが、２００ｋＨｚ帯域幅を有するＧＳＭチャネルを備える、請求項２１に記載のワイヤレス通信デバイス。
【請求項２３】
前記第１の受信機が、前記第１の技術タイプのネットワークとは異なる第２の技術タイプのネットワークに関連付けられた信号を受信するようにさらに適合された、請求項１９に記載のワイヤレス通信デバイス。
【請求項２４】
前記第１の受信機は、前記処理回路が、前記第２のチャネルの前記電力レベルがあらかじめ定義されたしきい値を超えると判断した後に、前記非サービング基地局に関連するようにさらに構成された、請求項１９に記載のワイヤレス通信デバイス。
【請求項２５】
前記信号の前記帯域幅が、前記第１の技術タイプのネットワークに関連付けられた前記複数のチャネルの各々のチャネル帯域幅の３倍よりも大きいかまたはそれに等しい、請求項１９に記載のワイヤレス通信デバイス。
【請求項２６】
前記帯域幅が５ＭＨｚよりも大きいかまたはそれに等しく、前記複数のチャネルがそれぞれ２００ｋＨｚのチャネル帯域幅を有する、請求項１９に記載のワイヤレス通信デバイス。
【請求項２７】
前記第１のデータ信号がバーストデータ信号である、請求項１９に記載のワイヤレス通信デバイス。
【請求項２８】
前記第１の受信機が、少なくとも２００ｋＨｚについて実質的に線形の位相応答を含む受信機帯域幅を有する、請求項１９に記載のワイヤレス通信デバイス。
【請求項２９】
前記処理回路が、前記信号の帯域幅の下側エッジおよび上側エッジにおいて利得損失を補正するために、前記受信された信号に補償フィルタを適用するようにさらに適合された、請求項１９に記載のワイヤレス通信デバイス。
【請求項３０】
前記処理回路が、前記複数のチャネルの各チャネルを抽出するために、前記受信された信号に同調可能帯域通過フィルタを適用するようにさらに適合された、請求項１９に記載のワイヤレス通信デバイス。
【請求項３１】
前記処理回路は、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
を行うようにさらに適合された、請求項１９に記載のワイヤレス通信デバイス。
【請求項３２】
前記第１のチャネルの前記第１のデータ信号が復調され、前記第２のチャネルの前記電力レベルメトリックが、前記第１の受信機のＲＦ中心周波数を再同調させることなしに判断される、請求項１９に記載のワイヤレス通信デバイス。
【請求項３３】
前記処理回路に通信可能に結合され、前記信号帯域幅よりも小さい第２の帯域幅を有する、第２の受信機であって、前記第２の受信機が、一度に前記第１の技術タイプのネットワークの前記複数のチャネルのうちの単一のチャネルのみを受信するように適合された、第２の受信機
をさらに備える、請求項１９に記載のワイヤレス通信デバイス。
【請求項３４】
サービング基地局との通信リンクを少なくとも周期的に確立することによって前記サービング基地局に関連するための手段と、
帯域幅を有する信号を受信するための手段であって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信するための手段と、
前記第１のチャネルの第１のデータ信号を復調するための手段と、
前記第２のチャネルの電力レベルメトリックを判断するための手段と
を備える、ワイヤレス通信デバイス。
【請求項３５】
前記信号を受信するために、あらかじめ定義された時間期間の間、前記受信するための手段を非アクティブ電力状態からアクティブ電力状態に遷移させるための手段をさらに備える、請求項３４に記載のワイヤレス通信デバイス。
【請求項３６】
前記第２のチャネルの前記電力レベルメトリックがセル再選択基準またはハンドオーバ基準を満たすと判断するための手段と、
前記ワイヤレス通信デバイスが非専用モードにある場合、セル再選択を実行するための手段と、
前記ワイヤレス通信デバイスが専用モードにある場合、ハンドオーバを実行するための手段と
をさらに備える、請求項３４に記載のワイヤレス通信デバイス。
【請求項３７】
ワイヤレス通信デバイスの少なくとも１つのプロセッサに、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと、
前記第１のチャネルの第１のデータ信号を復調することと、
前記第２のチャネルの電力レベルメトリックを判断することと
を行わせるためのコードを備えるコンピュータ可読記憶媒体。
【請求項３８】
前記プロセッサに、前記信号を受信するために、あらかじめ定義された時間期間の間、前記第１の受信機を非アクティブ電力状態からアクティブ電力状態に遷移させることをさらに行わせるためのコードを備える、請求項３７に記載のコンピュータ可読記憶媒体。
【請求項３９】
前記プロセッサに、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに行わせるためのコードを備える、請求項３７に記載のコンピュータ可読記憶媒体。
【発明の詳細な説明】
【技術分野】
【０００１】
優先権主張
[0001]    本特許出願は、その開示全体が参照により本明細書に明確に組み込まれる、２０１２年３月１９日に出願された「Method and Apparatus of Simultaneously Monitoring GSM Channels」と題する米国仮特許出願第６１／６１２，７５０号の優先権を主張する。
【０００２】
[0002]    本特許出願で説明する技術は、一般にワイヤレス通信デバイスに関し、より詳細には、無線チャネルを監視するための方法および装置に関する。
【背景技術】
【０００３】
[0003]    ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ地上波無線アクセスネットワーク（ＵＴＲＡＮ：UMTS Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイル電気通信システム（ＵＭＴＳ：Universal Mobile Telecommunications System）の一部として定義された無線アクセスネットワーク（ＲＡＮ：radio access network）である。ＵＭＴＳは、モバイル通信用グローバルシステム（ＧＳＭ（登録商標）：Global System for Mobile Communications）技術の後継であり、現在、広帯域符号分割多元接続（Ｗ−ＣＤＭＡ（登録商標））、時分割符号分割多元接続（ＴＤ−ＣＤＭＡ: Time Division-Code Division Multiple Access）、および時分割同期符号分割多元接続（ＴＤ−ＳＣＤＭＡ：Time Division-Synchronous Code Division Multiple Access）など、様々なエアインターフェース規格をサポートする。ＵＭＴＳは、高速パケットアクセス（ＨＳＰＡ：High Speed Packet Access）など、拡張型３Ｇデータ通信プロトコルをもサポートし、このプロトコルは、より高いデータ転送速度および容量を、関連するＵＭＴＳネットワークに提供する。
【０００４】
[0004]  いくつかのワイヤレス通信デバイスは、１つのサブスクリプション（subscription）で単一のネットワーク上での通信を可能にするように構成され得、他のデバイスは、２つの別個のサブスクリプションを介して２つの別個のネットワーク上で通信することができる。たとえば、シングルネットワークデバイスは、シングル加入者識別モジュール（ＳＩＭ：subscriber identity module）を有するＧＳＭデバイスを含み得る。別のマルチネットワークデバイスは、２つのＳＩＭカード、すなわち、各サブスクリプションについて１つのＳＩＭカードを有する、デュアルＳＩＭデュアルスタンバイ（ＤＳＤＳ：dual-SIM, dual standby）デバイスを含み得る。さらに、各サブスクリプションが１つまたは複数の技術タイプに関連付けられ得る。たとえば、第１のサブスクリプションは、ＧＳＭなど、２Ｇ通信技術をもっぱらサポートし得、第２のサブスクリプションは、３Ｇ通信技術（たとえば、ＷＣＤＭＡ（登録商標））および／または４Ｇ通信技術（たとえば、ロングタームエボリューション（ＬＴＥ：Long Term Evolution））のうちの１つまたは複数をサポートし得る。
【０００５】
[0005]  ＧＳＭでは、アイドルモードにあるワイヤレスデバイスが、ブロードキャスト制御チャネル（ＢＣＣＨ：broadcast control channel）が予想または検出される、絶対無線周波数チャネル番号（ＡＲＦＣＮ：absolute radio-frequency channel number）（以下「チャネル」）における電力レベルを測定し、監視することを必要とされる。一般に、ワイヤレスデバイスの受信機が各特定のチャネルに同調され、そのチャネルにおける電力が測定される。１つの特定のチャネルにおける電力を測定した後に、受信機は、後続のチャネルに同調し、その後続のチャネルのための別の電力レベル判断を実行し始める。このプロセスは、すべてのチャネル電力が測定されるまで、チャネルごとに続く。したがって、監視されるべきチャネルの数が高いとき、受信機同調オーバーヘッドは相当である。アイドルモードにあるシングルＳＩＭ  ＧＳＭデバイスの場合、この測定および監視プロシージャは著しい電力を消費する。ＤＳＤＳデバイスの場合、デバイスがＷＣＤＭＡ専用モードにあるとき、これらのアイドルモードＧＳＭプロシージャを実行するのに著しい不感時間（dead time）が費やされる。したがって、ＧＳＭデバイスの現在のアイドルモード動作により、シングルＳＩＭ  ＧＳＭデバイスの場合は高い電力消費など、リソースが浪費され、ＤＳＤＳの場合はＷＣＤＭＡスループットが低減され得る。
【発明の概要】
【０００６】
[0006]  以下で、本開示の１つまたは複数の態様の基本的理解を与えるために、そのような態様の概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００７】
[0007]  １つの特徴は、サービング基地局との通信リンクを少なくとも周期的に確立することによってサービング基地局に関連することと、第１の受信機を使用して帯域幅を有する信号を受信することであって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信することと、第１のチャネルの第１のデータ信号を復調することと、第２のチャネルの電力レベルメトリックを判断することとを備える、ワイヤレス通信デバイスにおいて無線チャネルを監視する方法を提供する。一態様によれば、本方法は、上記信号を受信するために、あらかじめ定義された時間期間の間、第１の受信機を非アクティブ電力状態からアクティブ電力状態に遷移させることをさらに備える。別の態様によれば、本方法は、第１の受信機を非アクティブ電力状態からアクティブ電力状態に遷移させることより前に信号測定を行うことを判断することをさらに備える。また別の態様によれば、信号測定を行うことを判断することは、モバイル通信用グローバルシステム（ＧＳＭ）アイドルモード走査（idle mode scan）を実行することを判断することを含み、複数のチャネルは、２００ｋＨｚ帯域幅を有するＧＳＭチャネルを備える。
【０００８】
[0008]  一態様によれば、本方法は、第２の技術タイプのネットワークに関連付けられた信号を受信することであって、第２の技術タイプのネットワークが第１の技術タイプのネットワークとは異なる、受信することをさらに備える。別の態様によれば、第１の技術タイプのネットワークは時分割多元接続（ＴＤＭＡ）に基づき、第２の技術タイプのネットワークは符号分割多元接続（ＣＤＭＡ）に基づく。また別の態様によれば、第１の技術タイプのネットワークはＧＳＭであり、第２の技術タイプのネットワークは広帯域符号分割多元接続（Ｗ−ＣＤＭＡ）またはロングタームエボリューション（ＬＴＥ）である。
【０００９】
[0009]  一態様によれば、本方法は、第２のチャネルの電力レベルがあらかじめ定義されたしきい値を超えると判断した後に、非サービング基地局に関連することをさらに備える。別の態様によれば、上記信号の帯域幅は、第１の技術タイプのネットワークに関連付けられた複数のチャネルの各々のチャネル帯域幅の３倍よりも大きいかまたはそれに等しい。また別の態様によれば、上記信号の帯域幅は、第２の技術タイプのネットワークに関連付けられたキャリアのチャネル帯域幅に実質的に等しい。
【００１０】
[0010]  一態様によれば、上記帯域幅は５ＭＨｚよりも大きいかまたはそれに等しく、複数のチャネルはそれぞれ２００ｋＨｚのチャネル帯域幅を有する。別の態様によれば、第１のデータ信号は、同期チャネル、ブロードキャスト制御チャネル、またはページング制御チャネルのうちの１つである。また別の態様によれば、第１の受信機は、少なくとも２００ｋＨｚについて実質的に線形の位相応答（linear phase response）を含む受信機帯域幅を有する。
【００１１】
[0011]  一態様によれば、本方法は、上記信号の帯域幅の下側エッジおよび上側エッジにおいて利得損失を補正するために、上記受信された信号に補償フィルタを適用することをさらに備える。別の態様によれば、本方法は、複数のチャネルの各チャネルを抽出するために、上記受信された信号に同調可能帯域通過フィルタを適用することをさらに備える。また別の態様によれば、本方法は、第２のチャネルの電力レベルメトリックがセル再選択基準またはハンドオーバ基準を満たすと判断することと、ワイヤレス通信デバイスが非専用モード（non-dedicated mode）にある場合、セル再選択を実行することと、ワイヤレス通信デバイスが専用モード（dedicated mode）にある場合、ハンドオーバを実行することとをさらに備える。
【００１２】
[0012]  別の態様によれば、電力レベルメトリックは、第２のチャネルの絶対電力レベルが第１のあらかじめ定義されたしきい値を超える、第２のチャネルの相対電力レベルが少なくとも１つの第２のあらかじめ定義されたしきい値だけ第１のチャネルの電力レベルを超える、第２のチャネルの絶対信号対雑音比（ＳＮＲ：signal to noise ratio）が第３のあらかじめ定義されたしきい値を超える、第２のチャネルの１つの相対信号強度インジケータ（ＲＳＳＩ：relative signal strength indicator）が第４のあらかじめ定義されたしきい値を超える、および／または、第２のチャネルの相対ＳＮＲが第５のあらかじめ定義されたしきい値だけ第１のチャネルのＳＮＲ値を超える、のうちの少なくとも１つのとき、セル再選択基準またはハンドオーバ基準を満たす。別の態様によれば、第１のチャネルの第１のデータ信号は復調され、第２のチャネルの電力レベルメトリックは、第１の受信機のＲＦ中心周波数を再同調させることなしに判断される。
【００１３】
[0013]  別の特徴は、サービング基地局との通信リンクを少なくとも周期的に確立することによってサービング基地局に関連することと、帯域幅を有する信号を受信することであって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信することとを行うように適合された第１の受信機と、第１の受信機に通信可能に結合された処理回路であって、処理回路が、第１のチャネルの第１のデータ信号を復調することと、第２のチャネルの電力レベルメトリックを判断することとを行うように適合された、処理回路とを備える、ワイヤレス通信デバイスを提供する。一態様によれば、処理回路は、上記信号を受信するために、あらかじめ定義された時間期間の間、第１の受信機を非アクティブ電力状態からアクティブ電力状態に遷移させるようにさらに適合される。別の態様によれば、処理回路は、第１の受信機を非アクティブ電力状態からアクティブ電力状態に遷移させることより前に信号測定を行うことを判断するようにさらに適合される。また別の態様によれば、信号測定を行うことを判断するように適合された処理回路は、処理回路に、モバイル通信用グローバルシステム（ＧＳＭ）アイドルモード走査を実行することを判断することをさらに行わせ、複数のチャネルは、２００ｋＨｚ帯域幅を有するＧＳＭチャネルを備える。
【００１４】
[0014]  一態様によれば、第１の受信機は、第１の技術タイプのネットワークとは異なる第２の技術タイプのネットワークに関連付けられた信号を受信するようにさらに適合される。別の態様によれば、第１の受信機は、処理回路が、第２のチャネルの電力レベルがあらかじめ定義されたしきい値を超えると判断した後に、非サービング基地局に関連するようにさらに構成される。また別の態様によれば、第１のデータ信号はバーストデータ信号である。
【００１５】
[0015]  一態様によれば、処理回路は、上記信号の帯域幅の下側エッジおよび上側エッジにおいて利得損失を補正するために、上記受信された信号に補償フィルタを適用するようにさらに適合される。別の態様によれば、処理回路は、複数のチャネルの各チャネルを抽出するために、上記受信された信号に同調可能帯域通過フィルタを適用するようにさらに適合される。また別の態様によれば、処理回路は、第２のチャネルの電力レベルメトリックがセル再選択基準またはハンドオーバ基準を満たすと判断することと、本ワイヤレス通信デバイスが非専用モードにある場合、セル再選択を実行することと、本ワイヤレス通信デバイスが専用モードにある場合、ハンドオーバを実行することとを行うようにさらに適合される。また別の態様によれば、本ワイヤレス通信デバイスは、処理回路に通信可能に結合され、上記信号帯域幅よりも小さい第２の帯域幅（たとえば、２００ｋＨｚ）を有する、第２の狭帯域受信機（narrowband receiver）であって、第２の受信機が、一度に第１の技術タイプのネットワークの複数のチャネルのうちの単一のチャネルのみを受信するように適合された、第２の狭帯域受信機をさらに備える。
【００１６】
[0016]  別の特徴は、サービング基地局との通信リンクを少なくとも周期的に確立することによってサービング基地局に関連するための手段と、帯域幅を有する信号を受信するための手段であって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信するための手段と、第１のチャネルの第１のデータ信号を復調するための手段と、第２のチャネルの電力レベルメトリックを判断するための手段とを備える、ワイヤレス通信デバイスを提供する。一態様によれば、本ワイヤレス通信デバイスは、上記信号を受信するために、あらかじめ定義された時間期間の間、受信するための上記手段を非アクティブ電力状態からアクティブ電力状態に遷移させるための手段をさらに備える。別の態様によれば、本ワイヤレス通信デバイスは、第２のチャネルの電力レベルメトリックがセル再選択基準またはハンドオーバ基準を満たすと判断するための手段と、本ワイヤレス通信デバイスが非専用モードにある場合、セル再選択を実行するための手段と、本ワイヤレス通信デバイスが専用モードにある場合、ハンドオーバを実行するための手段とをさらに備える。
【００１７】
[0017]  別の特徴は、ワイヤレス通信デバイスの少なくとも１つのプロセッサに、サービング基地局との通信リンクを少なくとも周期的に確立することによってサービング基地局に関連することと、第１の受信機を使用して帯域幅を有する信号を受信することであって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信することと、第１のチャネルの第１のデータ信号を復調することと、第２のチャネルの電力レベルメトリックを判断することとを行わせるためのコードを備えるコンピュータ可読記憶媒体を提供する。一態様によれば、本コンピュータ可読記憶媒体は、上記プロセッサに、上記信号を受信するために、あらかじめ定義された時間期間の間、第１の受信機を非アクティブ電力状態からアクティブ電力状態に遷移させることをさらに行わせるためのコードを備える。別の態様によれば、本コンピュータ可読記憶媒体は、上記プロセッサに、第２のチャネルの電力レベルメトリックがセル再選択基準またはハンドオーバ基準を満たすと判断することと、ワイヤレス通信デバイスが非専用モードにある場合、セル再選択を実行することと、ワイヤレス通信デバイスが専用モードにある場合、ハンドオーバを実行することとをさらに行わせるためのコードを備える。
【００１８】
[0018]  本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１９】
【図１】[0019]  いくつかの実施形態による、例示的なネットワーク環境の概略図。
【図２】[0020]  いくつかの実施形態による、ワイヤレスデバイスの概略図。
【図３】[0021]  いくつかの実施形態による、信号強度判断器を示す図。
【図４】[0022]  いくつかの実施形態による、補償器構成要素の効果を示す一連のグラフを示す図。
【図５】[0023]  いくつかの実施形態による、フィルタ構成要素の効果と性質とを示す一連のグラフを示す図。
【図６】[0024]  いくつかの実施形態による、並列処理のための１つまたは複数の構成要素を含む信号強度判断器の概略図。
【図７】[0025]  いくつかの実施形態による、複数の基地局によってブロードキャストされている複数のチャネルのための時間対周波数の概略プロットを示す図。
【図８】[0026]  いくつかの実施形態による、ワイヤレス通信デバイスにおいて無線チャネルを監視する方法のための流れ図。
【図９】[0027]  いくつかの実施形態による、ワイヤレス通信デバイスのためのハードウェア実装形態の概念ブロック図。
【発明を実施するための形態】
【００２０】
[0028]  以下の説明では、本開示の様々な態様の完全な理解を与えるために具体的な詳細を与える。ただし、これらの態様はこれらの具体的な詳細なしに実施され得ることを当業者は理解されよう。たとえば、これらの態様を不必要な詳細において不明瞭にすることを回避するために、回路をブロック図で示すことがある。他の事例では、本開示の態様を不明瞭にしないために、よく知られている回路、構造、および技法を詳細に図示しないことがある。
【００２１】
[0029]  「例示的（exemplary）」という単語は、本明細書では「例、事例、または例示の働きをすること」を意味するために使用する。「例示的」として本明細書で説明するいかなる実装形態または態様も、必ずしも本開示の他の態様よりも好ましいまたは有利であると解釈されるべきであるとは限らない。同様に、「態様（aspects）」という用語は、本開示のすべての態様が、説明する特徴、利点、または動作モードを含むことを必要としない。本明細書で使用する「基地局」という用語は、何らかの１つの単一のワイヤレス通信規格に関連付けられず、したがってトランシーバ基地局（ＢＴＳ）、ノードＢ、発展型ノードＢなどを含み得る。本明細書で使用する「広帯域受信機（wideband receiver）」という用語は、少なくとも、受信機によって受信される通信／ネットワーク技術タイプに関連付けられたシングルチャネルの帯域幅の３倍に等しいかまたはそれよりも大きい、帯域幅（すなわち、受信機の上側カットオフ周波数と下側カットオフ周波数との間の差）を有する無線受信機を指す。たとえば、６００ｋＨｚのまたはそれよりも大きい帯域幅を有する受信機は、したがって、それが、２００ｋＨｚ帯域幅を有するＧＳＭチャネルを受信するために使用される場合、「広帯域受信機」であり得る。「広帯域信号（wideband signal）」は、広帯域受信機によってキャプチャされる信号を指す。
【００２２】
[0030]  概して、本明細書でのモバイル通信用グローバルシステム（ＧＳＭ）への言及は、ＧＳＭ通信規格のバージョン１１以前に記載されている規格およびプロトコルを指す。たとえば、ＧＳＭにおける「アイドルモード（idle mode）」動作状態など、ＧＳＭ無線リンク制御（ＲＬＣ（radio link control））レイヤプロトコルが、少なくとも３ＧＰＰ  ＴＳ  ４５．０２２、ｖ１１．０．０以前のバージョンにおいて見つけられ得る。同様に、本明細書での広帯域符号分割多元接続（Ｗ−ＣＤＭＡ）、ロングタームエボリューション（ＬＴＥ）、および（ユニバーサルモバイル電気通信システム（Universal Mobile Telecommunications System））への一般的な言及は、Ｗ−ＣＤＭＡ、ＵＭＴＳおよびＬＴＥ通信規格のバージョン１１以前に記載されている規格およびプロトコルを指す。たとえば、Ｗ−ＣＤＭＡ、ＵＭＴＳ、およびＬＴＥのための無線リンク制御（ＲＬＣ）レイヤプロトコルが、少なくとも３ＧＰＰ  ＴＳ  ２５．３２２、ｖ１１．０．０以前のバージョンにおいて見つけられ得る。
【００２３】
概観
[0031]  ＧＳＭでは、ワイヤレスデバイスが、近隣セルの基地局電力を周期的に監視することを必要とされる。ＧＳＭワイヤレスデバイスはまた、同期チャネル（ＳＣＨ：synchronization channel）とブロードキャスト制御チャネル（ＢＣＣＨ：broadcast control channel）とを復号することによって近隣基地局との同期を維持することを必要とされる。ワイヤレスデバイスは、セル再選択プロシージャと呼ばれることがある、アイドルモードプロシージャにおいて、これらの監視、測定、および復号ステップを実行する。ワイヤレスデバイスがアイドルモードにあるとき、これらのアイドルモードプロシージャのために消費される電力は、間欠受信（ＤＲＸ：discontinuous reception）サイクルにおいて費やされる電力オン時間（たとえば、低電力スリープモードまたはオフモード以外の時間）に比例する。したがって、合計オン時間を低減することは、アイドルモード電力使用量を低減する。
【００２４】
[0032]  ワイヤレスデバイスが、専用モードにあり、たとえば、呼中であり、シングルＳＩＭのみを有するとき、３ＧＰＰ規格は、６つまでのネイバーセル測定を完了するための離調時間を与えるが、動作の完全なＧＳＭ帯域を観測するには十分でない時間を与える。したがって、呼を持続させる機会を向上させるために、動作のＧＳＭ帯域全体において何が起こっているかのより完全なおよび／または頻繁な描写（picture）が望まれる。
【００２５】
[0033]  ワイヤレスデバイスがＤＳＤＳデバイスであり、ＧＳＭ  ＳＩＭがアイドルモードにあり、ＷＣＤＭＡ  ＳＩＭが専用モードにあるとき、ＧＳＭアイドルモードプロシージャを実行するのに費やされる時間は、ＷＣＤＭＡスループットに不利益を加える。したがって、少なくとも１つの態様では、説明する装置および方法は、監視される絶対無線周波数チャネル番号（ＡＲＦＣＮ）の数が従来技術のソリューションよりも多くなるような方法で、ＧＳＭアイドルモードプロシージャのためにかかる時間を低減する。詳細には、説明する態様は、ＲＦ同調（すなわち、ＲＦ受信機がオンにされ、信号をキャプチャする）およびＲＦ離調（すなわち、ＲＦ受信機がオフにされるかまたは低電力モードに入る）の機会の数を低減するために広帯域受信機を利用する。これは、有用ＲＦ時間（たとえば、信号をキャプチャし、測定を行うのに費やされる実際の時間）と、ＲＦ受信機をオン／オフにするのに費やされる時間および異なるチャネル周波数に同調するのに費やされる時間を含む、消耗される合計ＲＦ時間との比を増加させるのを助ける。
【００２６】
[0034]  対照的に、いくつかの現在のソリューションは、電力を測定するために個々に各ＡＲＦＣＮ（２００ｋＨｚ帯域幅チャネル）に同調するのに時間を費やす非効率的な方法を採用する。そのプロシージャは、すべてのＡＲＦＣＮがカバーされるまで、その帯域中の各ＡＲＦＣＮについて繰り返され得る。たとえば、一例では、説明する装置および方法は、限定はしないが、ＧＳＭ測定のために広帯域ＷＣＤＭＡ受信機を使用することを含み得る。この場合、たとえば、本明細書の説明する態様のうちの１つまたは複数が、ＴＤＭＡフレーム（たとえば、４．６１５ｍｓ）中に２５個のＡＲＦＣＮを測定し得る。対照的に、従来技術のソリューションは、ＴＤＭＡフレーム中に４つのＡＲＦＣＮを測定するにすぎないことがある。その上、たとえば、説明する態様は、５つの測定においてＧＳＭ帯域全体の走査を完了し得、これは、完了するために合計１０ｍｓ未満かかり得る。
【００２７】
例示的なネットワーク環境
[0035]  図１に、本開示の一態様による、例示的なネットワーク環境１００の概略図を示す。ワイヤレス通信デバイス１０２（たとえば、モバイルフォン、ラップトップコンピュータなど）がサービング基地局１０４に関連付けられ得る。すなわち、ワイヤレスデバイス１０２は、それがサービング基地局１０４との通信リンク１１４を少なくとも周期的に確立し得るように、サービング基地局１０４に「キャンプオン（camped on）」され得る。図示の例では、基地局１０４は、デバイス１０２が、基地局１０４に極めて近接していることがあり、および／または、他の近隣基地局１０６、１０８と比較して高い信号対雑音比（ＳＮＲ）を有する基地局１０４との通信リンクを確立することが可能であるので、現時点においてワイヤレスデバイス１０２のためのサービング基地局であり得る。ワイヤレスデバイス１０２はまた、受信された信号１１６、１１８の電力レベルに基づいてハンドオフを実行すべきなのかセル再選択を実行すべきなのかを判断するために、非サービング基地局１０６、１０８からパイロット信号など、信号１１６、１１８を時々受信し得る。たとえば、ワイヤレスデバイス１０２が基地局１０８に近づいていることがあるので、ワイヤレスデバイス１０２は、基地局の受信された信号１１８が、ワイヤレスデバイス１０２の既存のサービング基地局の信号１１４よりも強い（たとえば、より高いＳＮＲ）と判断し得、したがって、ワイヤレスデバイス１０２は、基地局１０８が新しいサービング基地局になるように、セル再選択を実行し得る。
【００２８】
[0036]  基地局１０４、１０６、１０８からワイヤレスデバイス１０２によって受信された信号１１４、１１６、１１８は、それぞれ、第１の技術タイプのネットワーク（たとえば、ＧＳＭ）に関連付けられた帯域を用いた複数のチャネルのうちの特定のチャネル（たとえば、ＡＲＦＣＮ）上で送信される。各チャネルは、同じ帯域幅（たとえば、２００ｋＨｚ）を有するが、異なる中心周波数を有し得、その結果、チャネルは重複しない。たとえば、第１の信号１１４、第２の信号１１６、および第３の信号１１８は、それぞれ８９０．１００ＭＨｚ、８９０．３００ＭＨｚ、および８９０．５ＭＨｚを中心とし得る。別の例として、第１の信号１１４、第２の信号１１６、および第３の信号１１８は、それぞれ８９０．１００ＭＨｚ、８９４．７００ＭＨｚ、および９０１．５ＭＨｚを中心とし得る。他の近隣基地局（図示せず）は、異なる中心周波数を用いた異なるチャネル番号を有する異なるチャネルを占有し得る。
【００２９】
[0037]  図２に、一態様による、ワイヤレスデバイス１０２の概略図を示す。特に、ワイヤレスデバイス１０２は、広帯域受信機（たとえば、第１の受信機）２０４と信号強度判断器モジュール２０６とを有するセル監視モジュール２０２を含む。
【００３０】
[0038]  一態様では、ワイヤレスデバイス１０２は、セル監視モジュール２０２を使用して複数のチャネル（たとえば、ＧＳＭチャネル）の同時測定を実行する。セル監視モジュール２０２は、信号測定が、第１の技術タイプのネットワーク（たとえば、ＧＳＭネットワーク）の帯域を定義するチャネルのセット２０８のために行われることを可能にするように構成され得る。たとえば、セル監視モジュール２０２は、信号測定に基づいてセル再選択候補またはハンドオーバ候補を識別するために、ならびに／あるいは同期チャネル（ＳＣＨ）および／またはブロードキャスト制御チャネル（ＢＣＣＨ）を復号することによって近隣セル（すなわち、近隣セルの基地局）との同期を維持するために、セル再選択またはハンドオーバプロシージャなど、ＧＳＭアイドルモードセル測定および監視プロシージャを実行し得る。
【００３１】
[0039]  図１および図２を参照すると、一例では、セル監視モジュール２０２は、ワイヤレスデバイス１０２に現在関連付けられているサービング基地局１０４に隣接する近隣基地局１０６および１０８によってブロードキャストされた、パイロット信号など、信号１１６および１１８の周期監視および測定を開始し得る。アイドルモードでは、そのようなセル測定および監視プロシージャは、ワイヤレスデバイス１０２が受信信号強度インジケータ（ＲＳＳＩ）など、信号電力を判断することを可能にし、これは、キャンプオン（すなわち、関連）すべき新しい基地局を再選択するために使用され得る。たとえば、近隣基地局１０６、１０８（たとえば、「第２のチャネル」をブロードキャストする局）のうちの１つの電力レベルメトリック（たとえば、ＳＮＲ、絶対電力レベル、相対電力レベル、ＲＳＳＩ）がサービング基地局１０４（たとえば、「第１のチャネル」をブロードキャストする局）の電力に対してセル再選択基準を満たす場合、ワイヤレスデバイス１０２は、新しいサービング基地局として近隣基地局１０６、１０８のうちの１つを選択し得る。たとえば、セル再選択基準は、非サービング近隣基地局１０６、１０８のうちの１つの絶対電力レベルがあらかじめ定義されたしきい値を超える、非サービング近隣基地局１０６、１０８のうちの１つの電力レベルが少なくとも１つのあらかじめ定義された量だけサービング基地局１０４よりも比較的高い、非サービング近隣基地局１０６、１０８のうちの１つのＳＮＲがあらかじめ定義されたしきい値を超える、非サービング近隣基地局１０６、１０８のうちの１つのＲＳＳＩがあらかじめ定義されたしきい値を超える、非サービング近隣基地局１０６、１０８のうちの１つのＳＮＲが少なくとも１つのあらかじめ定義された量だけサービング基地局１０４よりも比較的高い、および／または、非サービング近隣基地局１０６、１０８のうちの１つのＲＳＳＩが少なくともあらかじめ定義された量だけサービング基地局１０４よりも比較的高い場合、満たされ得る。
【００３２】
[0040]  専用モードでは、たとえば呼中に、上記のセル測定および監視プロシージャは、呼のためのハンドオーバ候補を識別するために使用され得る。たとえば、近隣基地局１０６、１０８のうちの１つの電力レベルメトリック（たとえば、ＳＮＲ、絶対電力レベル、相対電力レベル、ＲＳＳＩ）がサービング基地局１０４の電力に対してハンドオーバ基準を満たす場合、ワイヤレスデバイス１０２は、近隣基地局１０６、１０８のうちの１つへの呼ハンドオーバを実行し得る。たとえば、ハンドオーバ基準は、非サービング近隣基地局１０６、１０８のうちの１つの絶対電力レベルがあらかじめ定義されたしきい値を超える、非サービング近隣基地局１０６、１０８のうちの１つの電力レベルが少なくとも１つのあらかじめ定義された量だけサービング基地局１０４よりも比較的高い、非サービング近隣基地局１０６、１０８のうちの１つのＳＮＲがあらかじめ定義されたしきい値を超える、非サービング近隣基地局１０６、１０８のうちの１つのＲＳＳＩがあらかじめ定義されたしきい値を超える、非サービング近隣基地局１０６、１０８のうちの１つのＳＮＲが少なくとも１つのあらかじめ定義された量だけサービング基地局１０４よりも比較的高い、および／または、非サービング近隣基地局１０６、１０８のうちの１つのＲＳＳＩが少なくとも１つのあらかじめ定義された量だけサービング基地局１０４よりも比較的高い場合、満たされ得る。
【００３３】
[0041]  電力レベルメトリック測定は、ワイヤレスデバイス１０２がサービング基地局１０４によって受信された信号１１４（たとえば、第１のチャネル）を受信し、復調するのと同時に行われ得る。したがって、電力レベルメトリック測定は、ワイヤレスデバイス１０２が、第１のチャネルに関連付けられた、バーストデータ信号など、データ信号（たとえば、第１のデータ信号）を受信し、復調する間、広帯域受信機２０４の中心ＲＦ周波数を変更する（たとえば、再同調させる）必要なしに、隣接するチャネルのために行われ得る。
【００３４】
[0042]  さらに、セル監視モジュール２０２は、広帯域幅（たとえば、第１の帯域幅）にわたる広帯域信号２１０をキャプチャ／受信するために広帯域受信機２０４の動作を開始し得る。広帯域受信機２０４は、初めに（一緒に「非アクティブ電力状態」と呼ばれることがある）低電力スリープモードまたはオフ状態にあり、次いで、広帯域受信機２０４が広帯域信号２１０をキャプチャする前に、あらかじめ定められた時間期間の間、電力オン状態（たとえば、「アクティブ電力状態」）に遷移され得る。広帯域受信機２０４は、信号測定が行われる必要があるという判断に応答して、電力オン状態に遷移され得る。
【００３５】
[0043]  キャプチャされた広帯域信号２１０の第１の帯域幅は、第１の技術タイプのネットワークの帯域を定義する複数の、チャネルのセット２０８をカバーし／含み得る。その場合、チャネルのセット２０８を構成する各チャネル２１２、２１４に関連付けられた信号に対して電力レベル測定（たとえば、ＲＳＳＩ、ＳＮＲ、絶対電力、相対電力など）が実行され得る。したがって、ワイヤレスデバイス１０２および／またはセル監視モジュール２０２は、チャネルのセット２０８の各々への別個の同調とそれの監視／測定とを必要とし得る従来のソリューションとは対照的に、キャプチャされた広帯域信号２１０により、チャネルのセット２０８に対応する帯域全体が数個の測定においてキャプチャされることが可能になるので、上記で説明した監視および測定プロシージャを実行するための効率的な機構を与える。
【００３６】
[0044]  電力レベル測定を実行することに加えて、広帯域受信機２０４は線形の位相応答（linear phase response）を有し得、その結果、ワイヤレスデバイス１０２は、キャプチャされた広帯域信号２１０の少なくとも一部分を復調および／または復号し得る。たとえば、ワイヤレスデバイス１０２は、サービング基地局１０４によって送信された信号１１４を受信し、復調するのと同時に、近隣基地局１０６、１０８から受信された信号１１６、１１８に対して電力レベル測定を実行し得る。受信機２０４が広帯域受信機であるので、信号１１６、１１８は受信され得るが、それらの信号は、信号１１４を含むチャネルの中心周波数から比較的遠い中心周波数を有する異なるチャネル上で送信される。このようにして、信号１１６、１１８に対して実行される電力レベル測定は、ワイヤレスデバイス１０２がいずれにせよ行うことを義務づけられ得る、ワイヤレスデバイス１０２がサービング基地局１０４から信号１１４を受信し、復調することを行う間、それらの電力レベル測定が同時に実行されるので、コストがかからなくなり得る。広帯域受信機２０４のＲＦ中心周波数は、それが、すべてのチャネルの信号１１４、１１６、１１８を受信するのに十分広い帯域幅を有するので、このプロセス中に再同調／変更される必要はない。
【００３７】
[0045]  たとえば、一態様では、上記帯域はＧＳＭ帯域に対応し得、そこで、チャネルのセット２０８は、２００ｋＨｚ帯域幅およびチャネル間隔を有し得、チャネルのセット２０８の各々が、それぞれの絶対無線周波数チャネル番号（ＡＲＦＣＮ）に対応し得る。またこの例では、広帯域受信機２０４は、５ＭＨｚ帯域幅にわたる広帯域信号２１０をキャプチャ／受信する帯域幅を有し得る。したがって、広帯域受信機２０４によってキャプチャされた広帯域信号２１０は、２５個のＧＳＭ  ＡＲＦＣＮを含み得る。
【００３８】
[0046]  いくつかの場合には、広帯域受信機２０４は、ＧＳＭのみ対応ワイヤレスデバイス上の受信機またはトランシーバの一部であり得る。しかしながら、他の場合には、広帯域受信機２０４は、マルチモードワイヤレスデバイス上の受信機またはトランシーバの一部であり得る。たとえば、広帯域受信機２０４は、限定はしないがＷ−ＣＤＭＡおよび／またはＬＴＥを含む、３Ｇおよび／または４Ｇネットワークなど、第２の技術タイプのネットワークに関連付けられたデータを受信するために使用され得る。ワイヤレスデバイス１０２は、場合によっては、シングル２００ｋＨｚ帯域幅ＧＳＭチャネルなど、狭帯域信号２１８を受信するために同じく使用され得る別の狭帯域受信機２１６（たとえば、第２の受信機）をも含み得る。
【００３９】
[0047]  信号強度判断器２０６は、第１の技術タイプのネットワークの帯域を定義するチャネルのセット２０８の各チャネル２１４、２１６に関連付けられた信号のそれぞれの信号強度２２０、２２２を判断するように構成され得る。信号強度２２０、２２２は、広帯域受信機２０４によってキャプチャされた広帯域信号２１０を処理することによって判断され得る。たとえば、それぞれの信号強度２２０、２２２は、各チャネル２１２、２１４  １〜ｎにおいて検出された信号に対応する信号強度１〜ｎであり得、ただし、ｎは正の整数である。たとえば、信号強度２２０、２２２は、限定はしないが、受信信号強度インジケータ（ＲＳＳＩ）であり得る。
【００４０】
[0048]  したがって、わずか数回の反復において、ワイヤレスデバイス１０２および／またはセル監視モジュール２０２は、第１の技術タイプのネットワークの帯域を定義するチャネルのセット２０８のすべてを効率的に監視し、測定するように、広帯域受信機２０４と信号強度判断器２０６とを動作させることができる。したがって、セル監視モジュール２０２は、第１の技術タイプのネットワークの帯域を定義するチャネルのセット２０８の各チャネル２１２、２１４において検出された信号に対応する得られたそれぞれの信号強度２２０、２２２に基づいてセル再選択決定２２４またはハンドオーバ決定２２６を行うための情報を与える（またはそれ自体がその決定を行う）ことが可能である。たとえば、ワイヤレスデバイス１０２がアイドルモード（idle mode）にある場合は、セル監視モジュール２０２はセル再選択決定２２４を行い得、ワイヤレスデバイス１０２が呼（すなわち、専用モード）に関与する場合は、セル監視モジュール２０２はハンドオーバ決定２２６を行い得る。
【００４１】
[0049]  セル監視モジュール２０２は信号強度判断器２０６および広帯域受信機２０４構成要素を含むものとして図２に示されているが、これらの構成要素の各々が、ワイヤレスデバイス１０２内で独立して、またはワイヤレスデバイス１０２の他の構成要素との任意の組合せで実装され得ることに留意されたい。たとえば、広帯域受信機２０４および信号強度判断器２０６は、受信機またはトランシーバサブシステムまたは受信機チェーンの一部であり得る。
【００４２】
[0050]  図３に、一態様による、信号強度判断器２０６を示す。信号強度判断器２０６は、キャプチャされた広帯域信号２１０を処理するための１つまたは複数の構成要素をも含み得る。たとえば、信号強度判断器２０６は、広帯域受信機２０４の帯域幅上で信号サンプルをキャプチャするように構成されたサンプルキャプチャ構成要素３０２を含み得る。判断器２０６は、サンプリングされ、キャプチャされた信号に補償機能を適用するように構成された補償器構成要素３０４をさらに含み得る。たとえば、補償器構成要素３０４は、広帯域受信機の帯域幅の下側および上側カットオフ周波数の近くの何らかの利得損失を考慮し、補正するために、エッジ補償フィルタを適用し得る。
【００４３】
[0051]  信号強度判断器２０６は、キャプチャされた広帯域信号２１０からベースバンド信号を取り出すように構成されたフィルタ構成要素３０６をも含み得る。たとえば、広帯域受信機２０４は５ＭＨｚ帯域幅受信機であり得る。フィルタ構成要素３０６は、広帯域信号２１０内の各ＡＲＦＣＮに属するサンプルを取り出す同調可能帯域通過フィルタであり得る。たとえば、帯域通過フィルタは、（たとえば、他のＡＲＦＣＮに関連付けられた信号成分を除去すること／フィルタ処理して除去することによって）各ＡＲＦＣＮに関連付けられたベースバンドサンプルを抽出するために、広帯域信号２１０内のその特定のＡＲＦＣＮの中心周波数と整合するように同調された２００ｋＨｚ帯域幅を有し得る。
【００４４】
[0052]  信号強度判断器２０６は、フィルタ構成要素３０６の出力から、第１の技術のネットワークの帯域のチャネルのセット２０８の各チャネル２１２、２１４（たとえば、図２参照）に対応する信号サンプルの信号電力を判断するように構成された、加算構成要素３０８をさらに含み得る。たとえば、加算構成要素３０８は、ＧＳＭ帯域の各特定のＡＲＦＣＮにおいてＲＳＳＩを測定し得る。詳細には、広帯域信号２１０からのサンプルのフィルタ処理された部分が複素数であり、加算構成要素３０８は、Σ（Ｉ＊Ｉ＋Ｑ＊Ｑ）に等しい電力判断アルゴリズムを実行し得、ただし、式中のＩは複素信号の同相（すなわち、実数）部分を表し、Ｑは複素信号の直交位相（すなわち、虚数）成分を表す。したがって、（２００ｋＨｚ通過帯域に同調された）ベースバンドフィルタ３０６を適用した後に、加算構成要素３０８は、信号の測定電力を、各特定のＡＲＦＣＮにおけるオーバージエア（ＯＴＡ：over-the-air）電力に比例するものとして判断し得る。
【００４５】
[0053]  図４に、一態様による、補償器構成要素３０４の効果を示す一連のグラフ４０２、４０４、４０６を示す。グラフ４０２は、ワイヤレスデバイス１０２による受信の前のワイヤレスデバイス１０２の近くの各ＡＲＦＣＮのオーバージエア電力（over-the-air power）を示している。このグラフ４０２は、ＡＲＦＣＮの真の電力レベルを表す。グラフ４０４は、広帯域受信機２０４の周波数応答による受信機２０４の帯域幅の下側および上側カットオフ周波数における利得損失を示す、ワイヤレスデバイス１０２による受信の後の各ＡＲＦＣＮの電力レベルを示している。たとえば、グラフ４０４は、サンプルキャプチャ構成要素３０２の出力におけるＡＲＦＣＮの電力レベルを表す。グラフ４０６は、広帯域受信機２０４の周波数応答を補償した後の各ＡＲＦＣＮの電力レベルを示している。補償の後の電力レベルＡＲＦＣＮは、グラフ４０２に示す、オーバージエアで送信される電力レベルに実質的に等しいはずである。
【００４６】
[0054]  広帯域受信機２０４のフロントエンドフィルタ応答は、ベースバンドでわかるように、低域通過である。補償器構成要素３０４は、利得損失を補正するために帯域エッジＡＲＦＣＮのための補償を適用する。たとえば、補償構成要素３０４の機能、アルゴリズム、または技法は、複素数除算と同じくらい単純であり得るが、他の技法をも含み得る。補償が適用されない場合、広帯域受信機の帯域幅のエッジの近くのＡＲＦＣＮのために推定される電力は負のバイアスを有することになる。本質的に、補償器構成要素３０４はそのような負バイアスを考慮する。
【００４７】
[0055]  図５に、一態様による、フィルタ構成要素３０６の効果と性質とを示す一連のグラフ５０２、５０４を示す。グラフ５０２は、フィルタ構成要素３０６がＡＲＦＣＮ５０に同調されたときのフィルタ構成要素３０６の周波数応答を示している。この例では、フィルタは２００ｋＨｚ通過帯域を有する。グラフ５０４は、グラフ５０２に示す帯域通過フィルタ応答が、グラフ４０６に示す補償された受信された広帯域信号に適用された後のフィルタ構成要素３０６の出力を示している。
【００４８】
[0056]  図６に、一態様による、並列処理のための１つまたは複数の構成要素を含む信号強度判断器２０６の概略図を示す。説明する態様は、フィルタ処理構成要素３０６および加算構成要素３０８が、測定されている各ＡＲＦＣＮについて並列に演算する複数の構成要素を含み得るような、信号強度判断器２０６のデジタル実装形態を含み得る。たとえば、第１のフィルタ６０２が、サービング基地局（たとえば、図１中の基地局１０４）から受信されている第１のＡＲＦＣＮに同調され得る。このフィルタ６０２の出力信号６０３は、そのＡＲＦＣＮのみに関連付けられた信号サンプルを表す。出力信号６０３は、さらなるベースバンド処理（たとえば、復調など）を経ることがある。別のフィルタ６０４が、非サービング基地局（たとえば、図１中の基地局１０６）から受信されている第２のＡＲＦＣＮ（たとえば、ＡＲＦＣＮｘ）に同調され得る。このフィルタ６０４の出力は、そのＡＲＦＣＮの電力レベルを判断するためにΣ（Ｉ＊Ｉ＋Ｑ＊Ｑ）に等しい時間領域における加算演算を実行する加算構成要素６０６に入力され得る。加算構成要素６０６は、ＡＲＦＣＮｘの電力、たとえばＲＳＳＩを取得するために高速フーリエ変換（ＦＦＴ）を利用し得る。同様のフィルタ構成要素および加算構成要素が、広帯域信号２１０によってキャプチャされた各ＡＲＦＣＮについて同じ演算を並列に実行し得る。
【００４９】
[0057]  図７に、複数の基地局によってブロードキャストされている複数のチャネルのための時間対周波数の概略プロット７００を示す。各チャネルは、たとえば、２００ｋＨｚのチャネル帯域幅を有するＧＳＭ  ＡＲＦＣＮと、それぞれ８つの時間スロットを有するフレームと、０．５７７ｍｓの時間スロット長とを表し得る。もちろん、他の態様では、チャネル帯域幅、時間スロット長、フレーム長などは、異なる通信プロトコルに関連付けられ、したがって異なるパラメータ値を有し得る。
【００５０】
[0058]  図１、図２、および図７を参照すると、およびただ１つの例として、ワイヤレスデバイス１０２は、ＧＳＭ信号とＷ−ＣＤＭＡ信号の両方を受信することが可能なマルチモードデバイスであり得る。たとえば、ワイヤレスデバイス１０２は、Ｗ−ＣＤＭＡ信号を受信するために旧来使用されている広帯域受信機２０４と、ＧＳＭ信号を受信するために旧来使用されている狭帯域受信機２１６とを有し得る。ワイヤレスデバイス１０２は、ＧＳＭ信号が９００ＭＨｚ帯域中に位置し、Ｗ−ＣＤＭＡ信号が２１００ＭＨｚ帯域中位置する、地理的領域中にあり得る。したがって、ワイヤレスデバイス１０２は、広帯域受信機２０４が５ＭＨｚの帯域幅を有し得るので、ＢＣ５帯域において信号を受信することが可能である。
【００５１】
[0059]  たとえば、５ＭＨｚの帯域幅を有する広帯域受信機２０４は、それがＧＳＭ  ＡＲＦＣＮ１３を中心とするように同調される（図７参照）。ＡＲＦＣＮ１３（たとえば、第１のチャネル）は、ワイヤレスデバイス１０２がキャンプオンされた（すなわち、関連付けられた）サービング基地局１０４によってブロードキャストされ得る。その上、広帯域受信機２０４は、スロット４（たとえば、図７に示すＡＲＦＣＮ１３の影つきおよびクロスハッチのスロット４）においてＡＲＦＣＮ１３上でＳＣＨ、ＢＣＣＨ、またはＰＣＨバースト信号など、データ信号（たとえば、第１のデータ信号）を受信し、復調することを予想していることがある。広帯域受信機２０４の５ＭＨｚ広帯域幅は、ＡＲＦＣＮ１〜２５に関連付けられた信号をキャプチャする。一態様によれば、広帯域受信機２０４は、それの帯域幅全体にわたって線形位相応答を有し得、その結果、ＡＲＦＣＮ１〜２５によって受信されたすべての信号が、所望される場合、復調され得る（たとえば、異なるＡＲＦＣＮ上の異なるバーストデータも受信され、復調され得る）。しかしながら、他の態様では、受信機の帯域幅の中心にある２００ｋＨｚの幅のある領域など、広帯域受信機２０４の帯域幅の一部分のみが線形位相応答を有し得、その結果、広帯域受信機２０４は、その線形位相部分（たとえば、図７中のＡＲＦＣＮ１３）内のデータ信号を受信し、復調し得る。
【００５２】
[0060]  一態様によれば、広帯域受信機２０４は、初めに非アクティブ電力状態（たとえば、電力オフまたは低電力スリープ状態）にあり得る。それは、次いで、パワーダウンして非アクティブ電力状態に戻る前に、あらかじめ判断された時間期間ｔの間、アクティブ電力状態（たとえば、電力オン状態）に遷移し、広帯域信号２１０をキャプチャ／受信し得る。時間期間ｔ中に、広帯域受信機２０４は、基地局によって送信されている各ＡＲＦＣＮにおける信号の一部分７０２（たとえば、ウィンドウ）をキャプチャすることが可能である。一態様によれば、ワイヤレスデバイス１０２は、広帯域受信機２０４を非アクティブ電力状態からアクティブ電力状態に遷移させることの前に信号測定を行うことを判断し得る。
【００５３】
[0061]  たとえば、ワイヤレスデバイス１０２は、それが起動するとき、ＡＲＦＣＮ１３（たとえば、図７中のＡＲＦＣＮ１３の影つき、クロスハッチのスロット４）上でＳＣＨ、ＢＣＣＨ、またはＰＣＨバーストデータを受信するためにサービング基地局に同期しているアイドルモードにあり得る。プロセス中に、広帯域受信機２０４は、ＡＲＦＣＮ１３上でＳＣＨ、ＢＣＣＨ、またはＰＣＨバーストデータをキャプチャするだけでなく、ＡＲＦＣＮ１〜１２および１４〜２５からの信号（たとえば、少なくとも１つの第２のチャネル）をもキャプチャする。信号強度判断器２０６は、最初に、広帯域受信機２０４のフィルタ応答のエッジの近くの何らかの負バイアスを補正するために補償フィルタを適用し得る（たとえば、図４参照）。信号強度判断器２０６は、次いで、それがＡＲＦＣＮ１３においてバーストデータを復調するのと同時に、ＡＲＦＣＮ１〜２５の各々について電力レベル計算を行い得る。たとえば、フィルタ処理構成要素３０６および加算構成要素３０８は、各ＡＲＦＣＮの電力レベル（たとえば、ＲＳＳＩ）を判断するために各ＡＲＦＣＮの信号サンプルを抽出し、ＦＦＴを実行し得る（たとえば、図５および図６参照）。行われた電力レベル計算は、異なる基地局に関連（たとえば、キャンプオン）すべきなのか（たとえば、セル再選択）、専用モードにある場合に呼をハンドオフすべきなのかを判断するために、ワイヤレスデバイス１０２によって使用され得る。したがって、これらの電力レベル計算およびハンドオフ／セル再選択決定は、コストがかからなくなり、その結果、ＡＲＦＣＮ１３上でサービング基地局からいずれにせよ受信されるべきであったバーストデータの受信に無関係の、各個々のＡＲＦＣＮへの追加のＲＦ同調が必要とされなくなる。すなわち、図示の例では、ＡＲＦＣＮ１〜１２および１４〜２５の電力レベル判断は、広帯域受信機２０４が、それがそうするようにスケジュールされ得るので、ＡＲＦＣＮ１３上でバーストデータ（たとえば、ＳＣＨ、ＰＣＨ、またはＢＣＣＨの影つき、クロスハッチのスロット４）を受信する間、コストがかからなくなる（すなわち、特にこれらのチャネルの各々に同調するのに追加の時間が費やされる必要はない）。
【００５４】
[0062]  図７中の陰影によって示されるように、ＡＲＦＣＮ５、９、１３、１６、および２２が、ワイヤレスデバイス１０２の近くでアクティブである。したがって、ワイヤレスデバイス１０２がそれの広帯域受信機２０４をアクティブにする（たとえば、非アクティブ電力状態からアクティブ電力状態に入る）とき、受信機２０４は、ＡＲＦＣＮ５、９、１３、１６、および２２内の信号を含む時間期間ｔの間の信号部分７０２をキャプチャする。信号強度判断器２０６は、次いで、この時間期間ｔ内のＡＲＦＣＮ５、９、１３、１６、および２２の電力レベル（たとえば、ＲＳＳＩ）を計算し得る。ワイヤレスデバイス１０２は、同時に、ＡＲＦＣＮ１３に関連付けられた信号データを受信し、復調し得る。ワイヤレスデバイス１０２、セル監視モジュール２０２、および／または信号強度判断器２０６が、ＡＲＦＣＮ５、９、１６、および／または２２が一定の電力レベルメトリックを満たす（たとえば、ＡＲＦＣＮ１３と比較して高いＲＳＳＩを有するか、またはＡＲＦＣＮ１３よりも高いＳＮＲを有する）と判断する場合、ハンドオフまたはセル再選択を実行するという決定が実行され得る。
【００５５】
[0063]  上記で説明したように、説明する態様はデジタル実装形態を含むので、各ＡＲＦＣＮの並列フィルタ処理が可能である。各周波数ビンにおいて電力を取得するためにＦＦＴのような技法が使用され得る。いくつかの態様では、ワイヤレスデバイス１０２は、電力レベル測定を行うことと、サービング基地局からのデータ信号を受信／復調することとを行うために、アイドルモードから「目覚める（wake up）」が、他の態様では、ＢＣＨがそれの上で送信されるＡＲＦＣＮがすべての８つのスロット上で電力を送っていること（たとえば、常にオン）をＧＳＭ規格が保証するので、信号電力の監視は任意の時間に行われ得る。
【００５６】
[0064]  図８に、一態様による、ワイヤレス通信デバイスにおいて無線チャネルを監視する方法のための流れ図８００を示す。ワイヤレス通信デバイスは、８０２において、サービング基地局との通信リンクを少なくとも周期的に確立することによってサービング基地局に関連する。ワイヤレス通信デバイスは、さらに、８０４において、第１の受信機を使用して帯域幅を有する信号を受信し、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む。ワイヤレス通信デバイスは、さらに、８０６において、第１のチャネルの第１のデータ信号を復調し、８０８において、第２のチャネルの電力レベルメトリックを判断する。
【００５７】
[0065]  図９に、一態様による、ワイヤレス通信デバイス９００のためのハードウェア実装形態の概念ブロック図を示す。ワイヤレス通信デバイス９００は、上記で説明したワイヤレス通信デバイス１０２を表し得る。ワイヤレス通信デバイス９００は、通信インターフェース９１０と、ユーザインターフェース９１２と、処理システム９１４とを含み得る。処理システム９１４は、プロセッサ９０４と、メモリ９０５と、コンピュータ可読媒体９０６と、バスインターフェース９０８と、バス９０２とを含み得る。処理システム９１４は、図１、図２、図３、図４、図５、図６、図７、および／または図８に関して説明したワイヤレス通信デバイス１０２、セル監視２０２、および／または信号強度判断器２０６によって実行されるステップ、機能、および／またはプロセスのいずれかを実行するように適合され得る。
【００５８】
[0066]  プロセッサ９０４（たとえば、処理回路）は、ワイヤレス通信デバイス９００のためのデータを処理するように適合された１つまたは複数のプロセッサであり得る。たとえば、処理回路９０４は、サービング基地局との通信リンクを少なくとも周期的に確立することによってサービング基地局に関連するための手段と、第１の受信機を使用して第１の帯域幅を有する信号を受信するための手段であって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信するための手段と、第１のチャネルの第１のデータ信号を復調するための手段と、第２のチャネルの電力レベルメトリックを判断するための手段との働きをする特定用途向け集積回路（ＡＳＩＣ）など、特殊なプロセッサであり得る。
【００５９】
[0067]  プロセッサ９０４の例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。プロセッサ９０４はまた、バス９０２を管理することと、コンピュータ可読媒体９０６および／またはメモリ９０５に記憶されたソフトウェアを実行することとを担当する。ソフトウェアは、プロセッサ９０４によって実行されたとき、処理システム９１４に、ワイヤレス通信デバイス１０２について上記で説明した様々な機能、ステップ、および／またはプロセスを実行することを行わせる。コンピュータ可読媒体９０６は、ソフトウェアを実行するときにプロセッサ９０４によって操作されるデータを記憶するために使用され得る。
【００６０】
[0068]  メモリ回路９０５は、限定はしないが、フラッシュメモリ、磁気または光ハードディスクドライブなど、不揮発性メモリであり得る。いくつかの態様では、セクタ情報および／またはオーバーヘッドメッセージ（構成シーケンス番号を含む）を記憶するメモリは、無期限に情報を記憶するように連続的に電力供給され得る、ＤＲＡＭ（たとえば、ＤＤＲ  ＳＤＲＡＭ）、ＳＲＡＭなど、揮発性メモリであり得る。
【００６１】
[0069]  ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体９０６上に常駐し得る。コンピュータ可読媒体９０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体９０６は、処理システム９１４中に常駐するか、処理システム９１４の外部にあるか、または処理システム９１４を含む複数のエンティティにわたって分散され得る。コンピュータ可読媒体９０６はコンピュータプログラム製品において実施され得る。
【００６２】
[0070]  この例では、処理システム９１４は、バス９０２によって概略的に表されるバスアーキテクチャを用いて実装され得る。バス９０２は、処理システム９１４の特定の適用例および全体的な設計制約に応じて、任意の数の相互接続バスおよびブリッジを含み得る。バス９０２は、（プロセッサ９０４によって概略的に表される）１つまたは複数のプロセッサと、メモリ９０５と、（コンピュータ可読媒体９０６によって概略的に表される）コンピュータ可読媒体とを含む様々な回路を互いにリンクする。バス９０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース９０８は、バス９０２と通信インターフェース９１０との間のインターフェースを与える。
【００６３】
[0071]  通信インターフェース９１０は、伝送媒体を介して他の装置と通信するための手段を与える。通信インターフェース９１０は、ワイヤレス通信デバイス９００が、１つまたは複数の基地局および／または基地局無線ヘッドなど、１つまたは複数のワイヤレスネットワークノードと通信することを可能にする、広帯域トランシーバ（wideband transceiver）９１６および場合によっては狭帯域受信機９１８を含む。一態様によれば、広帯域トランシーバ９１６は、上記で説明した広帯域受信機２０４を含み得る。狭帯域トランシーバ（narrowband receiver）９１８は、上記で説明した狭帯域受信機２１６を含み得る。装置の性質に応じて、ユーザインターフェース９１２（たとえば、キーパッド、ディスプレイ、スピーカー、マイクロフォン、タッチスクリーンディスプレイなど）もワイヤレス通信デバイス９００に与えられ得る。
【００６４】
[0072]  一例によれば、通信インターフェース９１０および／または広帯域トランシーバ９１６は、サービング基地局との通信リンクを少なくとも周期的に確立することによってサービング基地局に関連するための手段と、第１の帯域幅を有する信号を受信するための手段であって、上記信号は、第１の技術タイプのネットワークに各々が関連付けられた複数のチャネルを含み、複数のチャネルが、サービング基地局に関連付けられた第１のチャネルと、非サービング基地局に関連付けられた少なくとも１つの第２のチャネルとを含む、受信するための手段との働きをし得る。
【００６５】
[0073]  図１、図２、図３、図４、図５、図６、図７、図８、および／または図９に示した構成要素、ステップ、特徴および／または機能のうちの１つまたは複数は、単一の構成要素、ステップ、特徴または機能に再構成されおよび／または組み合わされるか、あるいはいくつかの構成要素、ステップ、または機能で実施され得る。また、本発明から逸脱することなく、追加の要素、構成要素、ステップ、および／または機能が追加され得る。図１、図２、図３、図６、および／または図９に示した装置、デバイス、および／または構成要素は、図４、図５、図７、および／または図８で説明した方法、特徴、またはステップのうちの１つまたは複数を実行するように構成され得る。本明細書で説明するアルゴリズムはまた、効率的にソフトウェアで実装されおよび／またはハードウェアに組み込まれ得る。
【００６６】
[0074]  その上、本開示の一態様では、図９に示した処理回路９０４は、図４、図５、図７、および／または図８で説明したアルゴリズム、方法、および／またはステップを実行するように特別に設計および／または有線接続された特殊なプロセッサ（たとえば、特定用途向け集積回路（たとえば、ＡＳＩＣ））であり得る。したがって、そのような特殊なプロセッサ（たとえば、ＡＳＩＣ）は、図４、図５、図７、および／または図８で説明したアルゴリズム、方法、および／またはステップを実行するための手段の一例であり得る。コンピュータ可読記憶媒体９０６は、特殊なプロセッサ（たとえば、ＡＳＩＣ）によって実行されたとき、特殊なプロセッサに、図４、図５、図７、および／または図８で説明したアルゴリズム、方法、および／またはステップを実行することを行わせる、プロセッサ９０４可読命令をも記憶し得る。
【００６７】
[0075]  また、本開示の態様は、フローチャート、流れ図、構造図、またはブロック図として示されるプロセスとして説明されることがあることに留意されたい。フローチャートは動作を逐次プロセスとして説明することがあるが、動作の多くは並列または同時に実行され得る。さらに、動作の順序は並べ替えられ得る。プロセスは、それの動作が完了したときに終了する。プロセスは、メソッド、関数、プロシージャ、サブルーチン、サブプログラムなどに対応し得る。プロセスが関数に対応する場合、それの終了は呼出し関数またはメイン関数への関数の復帰に対応する。
【００６８】
[0076]  その上、記憶媒体は、読取り専用メモリ（ＲＯＭ）、ランダムアクセスメモリ（ＲＡＭ）、磁気ディスク記憶媒体、光記憶媒体、フラッシュメモリデバイスおよび／または他の機械可読媒体および、プロセッサ可読媒体、および／または情報を記憶するためのコンピュータ可読媒体を含む、データを記憶するための１つまたは複数のデバイスを表し得る。「機械可読媒体」、「コンピュータ可読媒体」、および／または「プロセッサ可読媒体」という用語は、限定はしないが、ポータブルまたは固定ストレージデバイス、光ストレージデバイス、ならびに（１つまたは複数の）命令および／またはデータを記憶、含有または搬送することが可能な様々な他の媒体などの非一時的媒体を含み得る。したがって、本明細書で説明した様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって、完全にまたは部分的に実装され得る。
【００６９】
[0077]  さらに、本開示の態様は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードで実装されるとき、必要なタスクを実行するためのプログラムコードまたはコードセグメントは、記憶媒体または（１つまたは複数の）他のストレージなどの機械可読媒体に記憶され得る。プロセッサは必要なタスクを実行し得る。コードセグメントは、プロシージャ、関数、サブプログラム、プログラム、ルーチン、サブルーチン、モジュール、ソフトウェアパッケージ、クラス、あるいは命令、データ構造、またはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、任意の好適な手段を介してパス、フォワーディング、または送信され得る。
【００７０】
[0078]  本明細書で開示する例に関して説明した様々な例示的な論理ブロック、モジュール、回路、要素、および／または構成要素は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティング構成要素の組合せ、たとえば、ＤＳＰとマイクロプロセッサとの組合せ、いくつかのマイクロプロセッサ、ＤＳＰコアと連携する１つまたは複数のマイクロプロセッサ、あるいは任意の他のそのような構成として実装され得る。
【００７１】
[0079]  本明細書で開示する例に関して説明した方法またはアルゴリズムは、ハードウェアで、プロセッサによって実行可能なソフトウェアモジュールで、または両方の組合せで、処理ユニット、プログラム命令、または他の指示の形態で直接実施され得、単一のデバイスに含まれるかまたは複数のデバイスにわたって分散され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるようにプロセッサに結合され得る。代替として、記憶媒体はプロセッサに一体化され得る。
【００７２】
[0080]  さらに、本明細書で開示する態様に関して説明した様々な例示的な論理ブロック、モジュール、回路、およびアルゴリズムステップは、電子ハードウェア、コンピュータソフトウェア、または両方の組合せとして実装され得ることを当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。
【００７３】
[0081]  本明細書で説明した本発明の様々な特徴は、本発明から逸脱することなく様々なシステムで実装され得る。本開示の上記の態様は例にすぎず、本発明を限定するものと解釈されるべきではないことに留意されたい。本開示の態様の説明は、例示的なものであり、特許請求の範囲を限定するものではない。したがって、本教示は他のタイプの装置に容易に適用され得、多くの代替形態、変更形態、および変形形態が当業者には明らかであろう。
【図１】
2015514358.tif 000003
【図２】
2015514358.tif 000004
【図３】
2015514358.tif 000005
【図４】
2015514358.tif 000006
【図５】
2015514358.tif 000007
【図６】
2015514358.tif 000008
【図８】
2015514358.tif 000009
【図９】
2015514358.tif 000010
【図７】
2015514358.tif 000011
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
ワイヤレス通信デバイスにおいて無線チャネルを監視する方法であって、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含み、前記複数のチャネルは異なる中心周波数を有する、受信することと、
前記第１のチャネルの第１のデータ信号を復調することと、
前記第１のチャネルを受信し、前記第１のデータ信号を復調するのと同時に前記第２のチャネルの電力レベルメトリックを判断することと
を備える、方法。
【請求項２】
前記信号を受信するために、あらかじめ定義された時間期間の間、前記第１の受信機を非アクティブ電力状態からアクティブ電力状態に遷移させることをさらに備える、請求項１に記載の方法。
【請求項３】
前記第１の受信機を前記非アクティブ電力状態から前記アクティブ電力状態に遷移させることの前に信号測定を行うことを判断することをさらに備える、請求項２に記載の方法。
【請求項４】
前記信号測定を行うことを判断することが、モバイル通信用グローバルシステム（ＧＳＭ（登録商標））アイドルモード走査を実行することを判断することを含み、前記複数のチャネルが、２００ｋＨｚ帯域幅を有するＧＳＭチャネルを備える、請求項３に記載の方法。
【請求項５】
第２の技術タイプのネットワークに関連付けられた信号を受信することであって、前記第２の技術タイプのネットワークが前記第１の技術タイプのネットワークとは異なる、受信することをさらに備える、請求項１に記載の方法。
【請求項６】
前記第１の技術タイプのネットワークが時分割多元接続（ＴＤＭＡ）に基づき、前記第２の技術タイプのネットワークが符号分割多元接続（ＣＤＭＡ）に基づいている、請求項５に記載の方法。
【請求項７】
前記第１の技術タイプのネットワークがＧＳＭであり、前記第２の技術タイプのネットワークが広帯域符号分割多元接続（Ｗ−ＣＤＭＡ（登録商標））またはロングタームエボリューション（ＬＴＥ）である、請求項６に記載の方法。
【請求項８】
前記第２のチャネルの電力レベルがあらかじめ定義されたしきい値を超えると判断した後に、前記非サービング基地局に関連することをさらに備える、請求項１に記載の方法。
【請求項９】
前記信号の前記帯域幅が、前記第１の技術タイプのネットワークに関連付けられた前記複数のチャネルの各々のチャネル帯域幅の３倍よりも大きいかまたはそれに等しい、請求項１に記載の方法。
【請求項１０】
前記信号の前記帯域幅が、前記第２の技術タイプのネットワークに関連付けられたキャリアのチャネル帯域幅に実質的に等しい、請求項１に記載の方法。
【請求項１１】
前記帯域幅が５ＭＨｚよりも大きいかまたはそれに等しく、前記複数のチャネルがそれぞれ２００ｋＨｚのチャネル帯域幅を有する、請求項１に記載の方法。
【請求項１２】
前記第１のデータ信号が、同期チャネル、ブロードキャスト制御チャネル、またはページング制御チャネルのうちの１つである、請求項１に記載の方法。
【請求項１３】
前記第１の受信機が、少なくとも２００ｋＨｚについて実質的に線形の位相応答を含む受信機帯域幅を有する、請求項１に記載の方法。
【請求項１４】
前記信号の帯域幅の下側エッジおよび上側エッジにおいて利得損失を補正するために、前記受信された信号に補償フィルタを適用することをさらに備える、請求項１に記載の方法。
【請求項１５】
前記複数のチャネルの各チャネルを抽出するために、前記受信された信号に同調可能帯域通過フィルタを適用することをさらに備える、請求項１に記載の方法。
【請求項１６】
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに備える、請求項１に記載の方法。
【請求項１７】
前記電力レベルメトリックは、前記第２のチャネルの絶対電力レベルが第１のあらかじめ定義されたしきい値を超える、前記第２のチャネルの相対電力レベルが少なくとも１つの第２のあらかじめ定義されたしきい値だけ前記第１のチャネルの電力レベルを超える、前記第２のチャネルの絶対信号対雑音比（ＳＮＲ）が第３のあらかじめ定義されたしきい値を超える、前記第２のチャネルの１つの相対信号強度インジケータ（ＲＳＳＩ）が第４のあらかじめ定義されたしきい値を超える、および／または、前記第２のチャネルの相対ＳＮＲが第５のあらかじめ定義されたしきい値だけ前記第１のチャネルのＳＮＲ値を超える、のうちの少なくとも１つのとき、前記セル再選択基準または前記ハンドオーバ基準を満たす、請求項１６に記載の方法。
【請求項１８】
前記第１のチャネルの前記第１のデータ信号が復調され、前記第２のチャネルの前記電力レベルメトリックが、前記第１の受信機のＲＦ中心周波数を再同調させることなしに判断される、請求項１に記載の方法。
【請求項１９】
サービング基地局との通信リンクを少なくとも周期的に確立することによって前記サービング基地局に関連することと、
帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含み、前記複数のチャネルは異なる中心周波数を有する、受信することと
を行うように適合された第１の受信機と、
前記第１の受信機に通信可能に結合された処理回路であって、前記処理回路が、
前記第１のチャネルの第１のデータ信号を復調することと、
前記第１のチャネルを受信し、前記第１のデータ信号を復調するのと同時に前記第２のチャネルの電力レベルメトリックを判断することと
を行うように適合された、処理回路と
を備える、ワイヤレス通信デバイス。
【請求項２０】
前記処理回路が、前記信号を受信するために、あらかじめ定義された時間期間の間、前記第１の受信機を非アクティブ電力状態からアクティブ電力状態に遷移させるようにさらに適合された、請求項１９に記載のワイヤレス通信デバイス。
【請求項２１】
前記処理回路が、前記第１の受信機を前記非アクティブ電力状態から前記アクティブ電力状態に遷移させることの前に信号測定を行うことを判断するようにさらに適合された、請求項２０に記載のワイヤレス通信デバイス。
【請求項２２】
信号測定を行うことを判断するように適合された前記処理回路が、前記処理回路に、モバイル通信用グローバルシステム（ＧＳＭ）アイドルモード走査を実行することを判断することをさらに行わせ、前記複数のチャネルが、２００ｋＨｚ帯域幅を有するＧＳＭチャネルを備える、請求項２１に記載のワイヤレス通信デバイス。
【請求項２３】
前記第１の受信機が、前記第１の技術タイプのネットワークとは異なる第２の技術タイプのネットワークに関連付けられた信号を受信するようにさらに適合された、請求項１９に記載のワイヤレス通信デバイス。
【請求項２４】
前記第１の受信機は、前記処理回路が、前記第２のチャネルの電力レベルがあらかじめ定義されたしきい値を超えると判断した後に、前記非サービング基地局に関連するようにさらに構成された、請求項１９に記載のワイヤレス通信デバイス。
【請求項２５】
前記信号の前記帯域幅が、前記第１の技術タイプのネットワークに関連付けられた前記複数のチャネルの各々のチャネル帯域幅の３倍よりも大きいかまたはそれに等しい、請求項１９に記載のワイヤレス通信デバイス。
【請求項２６】
前記帯域幅が５ＭＨｚよりも大きいかまたはそれに等しく、前記複数のチャネルがそれぞれ２００ｋＨｚのチャネル帯域幅を有する、請求項１９に記載のワイヤレス通信デバイス。
【請求項２７】
前記第１のデータ信号がバーストデータ信号である、請求項１９に記載のワイヤレス通信デバイス。
【請求項２８】
前記第１の受信機が、少なくとも２００ｋＨｚについて実質的に線形の位相応答を含む受信機帯域幅を有する、請求項１９に記載のワイヤレス通信デバイス。
【請求項２９】
前記処理回路が、前記信号の帯域幅の下側エッジおよび上側エッジにおいて利得損失を補正するために、前記受信された信号に補償フィルタを適用するようにさらに適合された、請求項１９に記載のワイヤレス通信デバイス。
【請求項３０】
前記処理回路が、前記複数のチャネルの各チャネルを抽出するために、前記受信された信号に同調可能帯域通過フィルタを適用するようにさらに適合された、請求項１９に記載のワイヤレス通信デバイス。
【請求項３１】
前記処理回路は、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
を行うようにさらに適合された、請求項１９に記載のワイヤレス通信デバイス。
【請求項３２】
前記第１のチャネルの前記第１のデータ信号が復調され、前記第２のチャネルの前記電力レベルメトリックが、前記第１の受信機のＲＦ中心周波数を再同調させることなしに判断される、請求項１９に記載のワイヤレス通信デバイス。
【請求項３３】
前記処理回路に通信可能に結合され、信号帯域幅よりも小さい第２の帯域幅を有する、第２の受信機であって、前記第２の受信機が、一度に前記第１の技術タイプのネットワークの前記複数のチャネルのうちの単一のチャネルのみを受信するように適合された、第２の受信機
をさらに備える、請求項１９に記載のワイヤレス通信デバイス。
【請求項３４】
サービング基地局との通信リンクを少なくとも周期的に確立することによって前記サービング基地局に関連するための手段と、
帯域幅を有する信号を受信するための手段であって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含み、前記複数のチャネルは異なる中心周波数を有する、受信するための手段と、
前記第１のチャネルの第１のデータ信号を復調するための手段と、
前記第１のチャネルを受信し、前記第１のデータ信号を復調するのと同時に前記第２のチャネルの電力レベルメトリックを判断するための手段と
を備える、ワイヤレス通信デバイス。
【請求項３５】
前記信号を受信するために、あらかじめ定義された時間期間の間、前記受信するための手段を非アクティブ電力状態からアクティブ電力状態に遷移させるための手段をさらに備える、請求項３４に記載のワイヤレス通信デバイス。
【請求項３６】
前記第２のチャネルの前記電力レベルメトリックがセル再選択基準またはハンドオーバ基準を満たすと判断するための手段と、
前記ワイヤレス通信デバイスが非専用モードにある場合、セル再選択を実行するための手段と、
前記ワイヤレス通信デバイスが専用モードにある場合、ハンドオーバを実行するための手段と
をさらに備える、請求項３４に記載のワイヤレス通信デバイス。
【請求項３７】
ワイヤレス通信デバイスの少なくとも１つのプロセッサに、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含み、前記複数のチャネルは異なる中心周波数を有する、受信することと、
前記第１のチャネルの第１のデータ信号を復調することと、
前記第１のチャネルを受信し、前記第１のデータ信号を復調するのと同時に前記第２のチャネルの電力レベルメトリックを判断することと
を行わせるためのコードを備えるコンピュータ可読記憶媒体。
【請求項３８】
前記プロセッサに、前記信号を受信するために、あらかじめ定義された時間期間の間、前記第１の受信機を非アクティブ電力状態からアクティブ電力状態に遷移させることをさらに行わせるためのコードを備える、請求項３７に記載のコンピュータ可読記憶媒体。
【請求項３９】
前記プロセッサに、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに行わせるためのコードを備える、請求項３７に記載のコンピュータ可読記憶媒体。
【手続補正２】
【補正対象書類名】明細書
【補正対象項目名】００７３
【補正方法】変更
【補正の内容】
【００７３】
[0081]  本明細書で説明した本発明の様々な特徴は、本発明から逸脱することなく様々なシステムで実装され得る。本開示の上記の態様は例にすぎず、本発明を限定するものと解釈されるべきではないことに留意されたい。本開示の態様の説明は、例示的なものであり、特許請求の範囲を限定するものではない。したがって、本教示は他のタイプの装置に容易に適用され得、多くの代替形態、変更形態、および変形形態が当業者には明らかであろう。
以下に、本願出願の当初の特許請求の範囲に記載された発明を付記する。
［Ｃ１］
ワイヤレス通信デバイスにおいて無線チャネルを監視する方法であって、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと、
前記第１のチャネルの第１のデータ信号を復調することと、
前記第２のチャネルの電力レベルメトリックを判断することと
を備える、方法。
［Ｃ２］
前記信号を受信するために、あらかじめ定義された時間期間の間、前記第１の受信機を非アクティブ電力状態からアクティブ電力状態に遷移させることをさらに備える、Ｃ１に記載の方法。
［Ｃ３］
前記第１の受信機を前記非アクティブ電力状態から前記アクティブ電力状態に遷移させることの前に信号測定を行うことを判断することをさらに備える、Ｃ２に記載の方法。
［Ｃ４］
前記信号測定を行うことを判断することが、モバイル通信用グローバルシステム（ＧＳＭ（登録商標））アイドルモード走査を実行することを判断することを含み、前記複数のチャネルが、２００ｋＨｚ帯域幅を有するＧＳＭチャネルを備える、Ｃ３に記載の方法。
［Ｃ５］
第２の技術タイプのネットワークに関連付けられた信号を受信することであって、前記第２の技術タイプのネットワークが前記第１の技術タイプのネットワークとは異なる、受信することをさらに備える、Ｃ１に記載の方法。
［Ｃ６］
前記第１の技術タイプのネットワークが時分割多元接続（ＴＤＭＡ）に基づき、前記第２の技術タイプのネットワークが符号分割多元接続（ＣＤＭＡ）に基づいている、Ｃ５に記載の方法。
［Ｃ７］
前記第１の技術タイプのネットワークがＧＳＭであり、前記第２の技術タイプのネットワークが広帯域符号分割多元接続（Ｗ−ＣＤＭＡ（登録商標））またはロングタームエボリューション（ＬＴＥ）である、Ｃ６に記載の方法。
［Ｃ８］
前記第２のチャネルの前記電力レベルがあらかじめ定義されたしきい値を超えると判断した後に、前記非サービング基地局に関連することをさらに備える、Ｃ１に記載の方法。
［Ｃ９］
前記信号の前記帯域幅が、前記第１の技術タイプのネットワークに関連付けられた前記複数のチャネルの各々のチャネル帯域幅の３倍よりも大きいかまたはそれに等しい、Ｃ１に記載の方法。
［Ｃ１０］
前記信号の前記帯域幅が、前記第２の技術タイプのネットワークに関連付けられたキャリアのチャネル帯域幅に実質的に等しい、Ｃ１に記載の方法。
［Ｃ１１］
前記帯域幅が５ＭＨｚよりも大きいかまたはそれに等しく、前記複数のチャネルがそれぞれ２００ｋＨｚのチャネル帯域幅を有する、Ｃ１に記載の方法。
［Ｃ１２］
前記第１のデータ信号が、同期チャネル、ブロードキャスト制御チャネル、またはページング制御チャネルのうちの１つである、Ｃ１に記載の方法。
［Ｃ１３］
前記第１の受信機が、少なくとも２００ｋＨｚについて実質的に線形の位相応答を含む受信機帯域幅を有する、Ｃ１に記載の方法。
［Ｃ１４］
前記信号の帯域幅の下側エッジおよび上側エッジにおいて利得損失を補正するために、前記受信された信号に補償フィルタを適用することをさらに備える、Ｃ１に記載の方法。
［Ｃ１５］
前記複数のチャネルの各チャネルを抽出するために、前記受信された信号に同調可能帯域通過フィルタを適用することをさらに備える、Ｃ１に記載の方法。
［Ｃ１６］
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに備える、Ｃ１に記載の方法。
［Ｃ１７］
前記電力レベルメトリックは、前記第２のチャネルの絶対電力レベルが第１のあらかじめ定義されたしきい値を超える、前記第２のチャネルの相対電力レベルが少なくとも１つの第２のあらかじめ定義されたしきい値だけ前記第１のチャネルの電力レベルを超える、前記第２のチャネルの絶対信号対雑音比（ＳＮＲ）が第３のあらかじめ定義されたしきい値を超える、前記第２のチャネルの１つの相対信号強度インジケータ（ＲＳＳＩ）が第４のあらかじめ定義されたしきい値を超える、および／または、前記第２のチャネルの相対ＳＮＲが第５のあらかじめ定義されたしきい値だけ前記第１のチャネルのＳＮＲ値を超える、のうちの少なくとも１つのとき、前記セル再選択基準または前記ハンドオーバ基準を満たす、Ｃ１６に記載の方法。
［Ｃ１８］
前記第１のチャネルの前記第１のデータ信号が復調され、前記第２のチャネルの前記電力レベルメトリックが、前記第１の受信機のＲＦ中心周波数を再同調させることなしに判断される、Ｃ１に記載の方法。
［Ｃ１９］
サービング基地局との通信リンクを少なくとも周期的に確立することによって前記サービング基地局に関連することと、
帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと
を行うように適合された第１の受信機と、
前記第１の受信機に通信可能に結合された処理回路であって、前記処理回路が、
前記第１のチャネルの第１のデータ信号を復調することと、
前記第２のチャネルの電力レベルメトリックを判断することと
を行うように適合された、処理回路と
を備える、ワイヤレス通信デバイス。
［Ｃ２０］
前記処理回路が、前記信号を受信するために、あらかじめ定義された時間期間の間、前記第１の受信機を非アクティブ電力状態からアクティブ電力状態に遷移させるようにさらに適合された、Ｃ１９に記載のワイヤレス通信デバイス。
［Ｃ２１］
前記処理回路が、前記第１の受信機を前記非アクティブ電力状態から前記アクティブ電力状態に遷移させることの前に信号測定を行うことを判断するようにさらに適合された、Ｃ２０に記載のワイヤレス通信デバイス。
［Ｃ２２］
信号測定を行うことを判断するように適合された前記処理回路が、前記処理回路に、モバイル通信用グローバルシステム（ＧＳＭ）アイドルモード走査を実行することを判断することをさらに行わせ、前記複数のチャネルが、２００ｋＨｚ帯域幅を有するＧＳＭチャネルを備える、Ｃ２１に記載のワイヤレス通信デバイス。
［Ｃ２３］
前記第１の受信機が、前記第１の技術タイプのネットワークとは異なる第２の技術タイプのネットワークに関連付けられた信号を受信するようにさらに適合された、Ｃ１９に記載のワイヤレス通信デバイス。
［Ｃ２４］
前記第１の受信機は、前記処理回路が、前記第２のチャネルの前記電力レベルがあらかじめ定義されたしきい値を超えると判断した後に、前記非サービング基地局に関連するようにさらに構成された、Ｃ１９に記載のワイヤレス通信デバイス。
［Ｃ２５］
前記信号の前記帯域幅が、前記第１の技術タイプのネットワークに関連付けられた前記複数のチャネルの各々のチャネル帯域幅の３倍よりも大きいかまたはそれに等しい、Ｃ１９に記載のワイヤレス通信デバイス。
［Ｃ２６］
前記帯域幅が５ＭＨｚよりも大きいかまたはそれに等しく、前記複数のチャネルがそれぞれ２００ｋＨｚのチャネル帯域幅を有する、Ｃ１９に記載のワイヤレス通信デバイス。
［Ｃ２７］
前記第１のデータ信号がバーストデータ信号である、Ｃ１９に記載のワイヤレス通信デバイス。
［Ｃ２８］
前記第１の受信機が、少なくとも２００ｋＨｚについて実質的に線形の位相応答を含む受信機帯域幅を有する、Ｃ１９に記載のワイヤレス通信デバイス。
［Ｃ２９］
前記処理回路が、前記信号の帯域幅の下側エッジおよび上側エッジにおいて利得損失を補正するために、前記受信された信号に補償フィルタを適用するようにさらに適合された、Ｃ１９に記載のワイヤレス通信デバイス。
［Ｃ３０］
前記処理回路が、前記複数のチャネルの各チャネルを抽出するために、前記受信された信号に同調可能帯域通過フィルタを適用するようにさらに適合された、Ｃ１９に記載のワイヤレス通信デバイス。
［Ｃ３１］
前記処理回路は、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
を行うようにさらに適合された、Ｃ１９に記載のワイヤレス通信デバイス。
［Ｃ３２］
前記第１のチャネルの前記第１のデータ信号が復調され、前記第２のチャネルの前記電力レベルメトリックが、前記第１の受信機のＲＦ中心周波数を再同調させることなしに判断される、Ｃ１９に記載のワイヤレス通信デバイス。
［Ｃ３３］
前記処理回路に通信可能に結合され、前記信号帯域幅よりも小さい第２の帯域幅を有する、第２の受信機であって、前記第２の受信機が、一度に前記第１の技術タイプのネットワークの前記複数のチャネルのうちの単一のチャネルのみを受信するように適合された、第２の受信機
をさらに備える、Ｃ１９に記載のワイヤレス通信デバイス。
［Ｃ３４］
サービング基地局との通信リンクを少なくとも周期的に確立することによって前記サービング基地局に関連するための手段と、
帯域幅を有する信号を受信するための手段であって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信するための手段と、
前記第１のチャネルの第１のデータ信号を復調するための手段と、
前記第２のチャネルの電力レベルメトリックを判断するための手段と
を備える、ワイヤレス通信デバイス。
［Ｃ３５］
前記信号を受信するために、あらかじめ定義された時間期間の間、前記受信するための手段を非アクティブ電力状態からアクティブ電力状態に遷移させるための手段をさらに備える、Ｃ３４に記載のワイヤレス通信デバイス。
［Ｃ３６］
前記第２のチャネルの前記電力レベルメトリックがセル再選択基準またはハンドオーバ基準を満たすと判断するための手段と、
前記ワイヤレス通信デバイスが非専用モードにある場合、セル再選択を実行するための手段と、
前記ワイヤレス通信デバイスが専用モードにある場合、ハンドオーバを実行するための手段と
をさらに備える、Ｃ３４に記載のワイヤレス通信デバイス。
［Ｃ３７］
ワイヤレス通信デバイスの少なくとも１つのプロセッサに、
サービング基地局との通信リンクを少なくとも周期的に確立することによって前記サービング基地局に関連することと、
第１の受信機を使用して帯域幅を有する信号を受信することであって、前記信号は、第１の技術タイプのネットワークに各々が関連付けられた複数のチャネルを含み、前記複数のチャネルが、前記サービング基地局に関連付けられた第１のチャネルと、非サービング基地局に関連付けられた少なくとも１つの第２のチャネルとを含む、受信することと、
前記第１のチャネルの第１のデータ信号を復調することと、
前記第２のチャネルの電力レベルメトリックを判断することと
を行わせるためのコードを備えるコンピュータ可読記憶媒体。
［Ｃ３８］
前記プロセッサに、前記信号を受信するために、あらかじめ定義された時間期間の間、前記第１の受信機を非アクティブ電力状態からアクティブ電力状態に遷移させることをさらに行わせるためのコードを備える、Ｃ３７に記載のコンピュータ可読記憶媒体。
［Ｃ３９］
前記プロセッサに、
前記第２のチャネルの前記電力レベルメトリックがセル再選択基準またはハンドオーバ基準を満たすと判断することと、
前記ワイヤレス通信デバイスが非専用モードにある場合、セル再選択を実行することと、
前記ワイヤレス通信デバイスが専用モードにある場合、ハンドオーバを実行することと
をさらに行わせるためのコードを備える、Ｃ３７に記載のコンピュータ可読記憶媒体。
【国際調査報告】
2015514358.tif 000012
2015514358.tif 000013